(57)【要約】【課題】作業性を向上させた電装ユニットを前面に配置した空気調和機を提供すること。【解決手段】本発明の空気調和機は、電装ユニット８を室内機の前面側に配置した空気調和機であって、電装ユニット８は、電装部品が配置された基板を載置するベース８ｂと、ベース８ｂのカバー８ｄと、カバー８ｄを覆う板金製の板金カバー８ｅとを備え、板金カバー８ｅの端部に樹脂製のカバー８ｈを備えたことにより、板金カバーの端部を樹脂製のカバーで覆うことによりカバーの端部のエッジを保護し、安全に作業を行うことができる。【選択図】図４
2013124804.tif 000002
【特許請求の範囲】
【請求項１】
電装ユニットを室内機の前面側に配置した空気調和機であって、前記電装ユニットは、電装部品が配置された基板を載置するベースと、前記ベースのカバーと、前記カバーを覆う板金製の板金カバーとを備え、前記板金カバーの端部に樹脂製のカバーを備えたことを特徴とする空気調和機。
【請求項２】
前記ベースには周囲に沿うように溝を設け、前記カバーには前記溝にはまるような凸形状を設けたことを特徴とする請求項１に記載の空気調和機。
【請求項３】
前記ベースと前記カバーとの間に難燃性部材を配置したことを特徴とする請求項１または２に記載の空気調和機。
【請求項４】
前記難燃性部材は軟性であることを特徴とする請求項３に記載の空気調和機。
【請求項５】
前記溝を構成する両側の側壁において、外側の側壁よりも内側の側壁を高くすることを特徴とする請求項２から４のいずれか１項に記載の空気調和機。
【請求項６】
前記板金カバーの外表面を塗装したことを特徴とする請求項１から５のいずれか１項に記載の空気調和機。
【請求項７】
前記カバーに前記板金カバーの端部が挿入可能な挿入部を設けたことを特徴とする請求項１から６のいずれか１項に記載の空気調和機。
【発明の詳細な説明】
【技術分野】
【０００１】
本発明は、空気調和機の室内機における電装ユニットの配置構成に関する。
【背景技術】
【０００２】
従来の空気調和機において、電装品を内部に有する電装ユニットを前面側に配置して、室内熱交換器の幅寸法を大きくして熱交換量を増加させたものがある（例えば、特許文献１参照）。
【先行技術文献】
【特許文献】
【０００３】
【特許文献１】特開平８−１１００８５号公報
【発明の概要】
【発明が解決しようとする課題】
【０００４】
しかしながら、前記従来の構成において、作業性という観点からは、未だ改善の余地があった。
【０００５】
本発明は、上記課題を解決するために、作業性を向上させた電装ユニットを前面に配置した空気調和機を提供することを目的とする。
【課題を解決するための手段】
【０００６】
前記従来の課題を解決するために、本発明の空気調和機は、電装ユニットを室内機の前面側に配置した空気調和機であって、電装ユニットは、電装部品が配置された基板を載置するベースと、ベースのカバーと、前記カバーを覆う板金製の板金カバーとを備え、板金カバーの端部に樹脂製のカバーを備えたことにより、板金カバーの端部を樹脂製のカバーで覆うことによりカバーの端部のエッジを保護し、安全に作業を行うことができる。
【発明の効果】
【０００７】
本発明は、作業性を向上させた電装ユニットを前面に配置した空気調和機を提供することができる。
【図面の簡単な説明】
【０００８】
【図１】本発明の実施の形態１における空気調和機の室内機の外観斜視図
【図２】（ａ）同実施の形態１における室内機の正面図（ｂ）同実施の形態１における前面パネルをはずした室内機の正面図
【図３】（ａ）同実施の形態１における室内機の運転停止時のＡＡ断面図（ｂ）同実施の形態１における室内機の運転時のＡＡ断面図
【図４】同実施の形態１における電装ユニットの外観斜視図
【図５】同実施の形態１における電装ユニットの分解斜視図
【図６】同実施の形態１における電装ユニットの配置図
【図７】同実施の形態１におけるＢＢ断面図
【図８】同実施の形態１における要部模式図
【図９】（ａ）同実施の形態１におけるＣ部拡大図（ｂ）Ｄ方向からの直視図
【図１０】ベースとカバーの関係図
【図１１】（ａ）同実施の形態１における接続部の拡大分解図（ｂ）同実施の形態１における接続部の拡大組立図
【図１２】（ａ）同実施の形態１におけるストッパーの構成図（ｂ）他の実施の形態におけるストッパーの構成図
【発明を実施するための形態】
【０００９】
第１の発明の空気調和機は、電装ユニットを室内機の前面側に配置した空気調和機であって、電装ユニットは、電装部品が配置された基板を載置するベースと、ベースのカバーと、前記カバーを覆う板金製の板金カバーとを備え、板金カバーの端部に樹脂製のカバーを備えたことにより、板金カバーの端部を樹脂製のカバーで覆うことによりカバーの端部のエッジを保護し、安全に作業を行うことができる。
【００１０】
第２の発明の空気調和機は、特に第１の発明において、ベースには周囲に沿うように溝を設け、カバーには溝にはまるような凸形状を設けたことにより、電装ユニットの内部への不純物の経路が複雑になり、侵入を抑制することができる。
【００１１】
第３の発明の空気調和機は、特に第１または２の発明において、ベースとカバーとの間に難燃性部材を配置したことにより、安全性を向上させることができる。
【００１２】
第４の発明の空気調和機は、特に第３の発明において、難燃性部材は軟性であることによりベースとカバーとの密着性を向上させることができる。
【００１３】
第５の発明の空気調和機は、特に第２から第４の発明において、溝部を構成する両側の側壁において、外側の側壁よりも内側の側壁を高くすることにより、電装ユニット内への異物の進入をより防ぐことができる。
【００１４】
第６の発明の空気調和機は、特に第１から５の発明において、板金カバーの外表面を塗装したことにより、メンテナンス時に板金のエッジやバリなどによる人体への切創を防ぎ、安全性を向上させることができる。
【００１５】
第７の発明の空気調和機は、特に第１から６の発明において、カバーに板金カバーの端部が挿入可能な挿入部を設けたことにより、板金カバーのエッジを隠す構成となるため、さらに安全性を向上させることができる。
【００１６】
以下、本発明の実施の形態について、図面を参照しながら説明する。なお、この実施の形態によって本発明が限定されるものではない。
【００１７】
（実施の形態１）
図１は、本実施の形態における空気調和機の室内機の外観図、図２（ａ）は室内機の前面パネルを取り付けた状態の正面図、図２（ｂ）は室内機の前面パネルを取り外した状態の正面図、図３（ａ）は室内機の停止時のＡＡ断面図、図３（ｂ）は室内機の運転時のＡＡ断面図、である。なお、本実施の形態における空気調和機は室内に設置される室内機１と、室外に設置される室外機（図示せず）とを冷媒配管および接続電線で接続することによって構成される。
【００１８】
図１から図３を用いて、室内機の構成について説明する。本実施の形態における室内機１は、天面側から吸い込む天面吸い込み口２ａと、前面側から吸い込む前面吸い込み口２ｂとを有し、前面側の前面吸い込み口２ｂの前側を覆う前面パネル２を有している。室内機１の運転停止時には前面パネル２は閉じた状態となっているが、運転が開始されると前面パネル２が開いた状態となり吸い込む風量を増加させる。
【００１９】
また、室内へ送風する吹き出し口３を有し、上下に風向を変更する上下羽根３ａと、左右に風向を変更する左右羽根３ｂとを備える。また、室内機１の内部には略逆Ｖ字形状の
室内熱交換器５と、室内へ送風する室内ファン６と、塵埃を捕集するエアフィルター７とを備える。また、エアフィルター７はフィルター枠７ａに保持される。なお、エアフィルター枠７ａには、エアフィルター７を自動で掃除する自動掃除装置を搭載しているが、この説明については省略する。
【００２０】
そして室内ファン６が駆動することによって風の流れを発生させ、天面吸い込み口２ａおよび前面吸い込み口２ｂから室内空気を吸い込み、室内熱交換器５で冷媒と室内空気とが熱交換し、冷房であれば冷たくなった室内空気を、暖房であれば暖かくなった室内空気をそれぞれ室内へ送る。
【００２１】
このように構成された室内機において、天面吸い込み口２ａと前面吸い込み口２ｂと室内熱交換器５の前面で区画された箇所に電装ユニット８を配置している。このように電装ユニット８を配置することによって、天面吸い込み口２ａと前面吸い込み口２ｂと室内熱交換器５で区画されたデッドスペースを有効活用して電装ユニット８を配置するので、室内熱交換器５の側部に電装ユニット８を配置せず室内熱交換器５の横幅方向を長くすることができ、室内熱交換器５における熱交換性能を向上させることができる。
【００２２】
また、電装ユニット８は電装部品が配置された基板を有しているため発熱するが、天面吸い込み口２ａおよび前面吸い込み口２ｂから吸い込まれる風によって電装ユニット８を冷却することができる。また、室内熱交換器５よりも上方に電装ユニット８を配置するので、室内熱交換器５で発生するドレン水が掛かってしまうことを抑制し、信頼性を向上させることができる。
【００２３】
次に、電装ユニット８の構成について説明する。図４は電装ユニット８の外観斜視図、図５は電装ユニット８の分解斜視図である。また、図６は電装ユニット８とフィルター枠７ａとの位置関係を示した図である。
【００２４】
図４〜図６に示すように、電装ユニット８は、板金で形成された支持板８ａと、難燃性の樹脂で形成されたベース８ｂと、電装部品が配置された基板８ｃと、難燃性の樹脂で形成されたカバー８ｄと、板金で形成された板金カバー８ｅとに分解することができる。本実施の形態ではベース８ｂとカバー８ｄで用いられている難燃性の樹脂にＡＢＳ樹脂を用いているが、これに限定されることはなく、その他の難燃性樹脂を用いても構わない。
【００２５】
また、基板８ｃ内の電装部品と室外機（図示せず）との電装部品とを結ぶ内外接続電線が接続される端子台８ｆは電装ユニット８とは分割して側部に配置され、前面側から作業ができるように内外接続電線が接続される接続部は正面方向を向いている。
【００２６】
そして、支持板８ａはフィルター枠７ａの両端で支持するように配置されており、かつ、支持板８ａを板金で形成しているので、輸送時などに発生する外力に対する電装ユニット８の変形を防ぐことができる。さらにはメンテナンス時に作業者が電装ユニット８に外力を掛けることがあっても、板金で形成された支持板８ａで支えているため、電装ユニット８とフィルター枠７ａとの距離が縮まることがなく、一定量の吸い込み風量を確実に確保することができる。なお、フィルター枠７ａと支持板８ａとの接続は、ネジで接続してもよいし、引っ掛けるようにして接続してもよい。
【００２７】
また、本実施の形態では支持板８ａの右側に基板８ｃを配置するように電装ユニット８が形成されており、左側には開口部８ｇを設けている。支持板８ａをフィルター枠７ａの横幅方向全部にわたって配置するので風の流れを遮ってしまうことになる。そのため、本実施の形態では、右側に基板８ｃを配置し、左側に開口部８ｇを設けることによって開口部８ｇに風が通る通路を設けることで、通風抵抗を低減することができる。なお、基板８
ｃの配置と開口部８ｇの配置は左右逆であっても、基板８ｃと開口部８ｇの配置を上下にしても問題は無い。
【００２８】
さらに、本実施の形態では、板金カバー８ｅの両端部には樹脂製のカバー８ｈを設けており、樹脂製のカバー８ｈで板金カバー８ｅの両端部を覆う構成としている。このような構成とすることによって、板金カバー８ｅのエッジを保護する構成となり、さらに作業性を向上することができる。
【００２９】
図７はＢＢ断面図であり、図８はベース８ｂとカバー８ｄとの突合せ部の要部拡大略図である。図７、図８に示すようにベース８ｂの周囲に沿って溝形状９が形成されており、溝形状９は内側の側壁９ａと、外側の側壁９ｂとで形成される。
【００３０】
一方、カバー８ｄには溝形状９に嵌め合わせることができるように、溝形状９と対向する位置に凸形状１０を設けている。そして、溝形状９に凸形状１０が収まり、ベース８ｂにカバー８ｄが嵌め合わされる。このとき隙間無く嵌め合わされることが望ましいが、ものづくり上の誤差で隙間１１があいてしまう。
【００３１】
そこで本実施の形態では、ベース８ｂとカバー８ｄとの嵌め合わせ部において難燃性部材１２を配置している。本実施の形態では難燃性部材１２にＥＰＴシールを用いており、軟性すなわち弾性力を有しているためベース８ｂとカバー８ｄとが嵌め合わさるときに力が掛かり隙間を埋めるように難燃性部材１２が変形する。
【００３２】
このように、ベース８ｂとカバー８ｄとの間に弾性力を有する難燃性部材１２を用いることで、電装ユニット８の内部と外部との隙間を埋めることができるため、異物の侵入を防ぎ、さらに難燃性であるため電装ユニットで発火した場合の外部への延焼を防ぐことができる。
【００３３】
また、溝形状９を形成する内側の側壁９ａの高さＨ１を、外側の側壁９ｂの高さＨ２よりも高くしている。例えば、異物が何らかの理由で側壁９ｂを超えて溝形状９に侵入したとしても、さらに高い側壁９ａがあるために、電装ユニット８の内部への異物侵入を防ぐことができる。
【００３４】
また、カバー８ｄの上方から板金製の板金カバー８ｅを取り付けている。このように板金カバー８ｅを設けることによって、さらに電装ユニット８内からの火が外部へ伝わることを防ぐことができる。
【００３５】
また、板金カバー８ｅの外側は塗装されており、メンテナンス時に板金のエッジやバリによって怪我することを防ぐことができる。
【００３６】
また、カバー８ｄおよび板金カバー８ｅの形状は、天面吸い込み口２ａと前面吸い込み口２ｂに沿った形状を有している。本実施の形態では略台形形状とすることで、天面吸い込み口２ａおよび前面吸い込み口２ｂと室内熱交換器５で形成される三角形状のデッドスペースに、電装ユニット８を収めることができる。
【００３７】
図９（ａ）はＣ部拡大図、図９（ｂ）はＤ方向から見た図である。図９に示すように、カバー８ｄには板金カバー８ｅの端部が挿入可能な溝部１３が設けられており、板金カバー８ｅをカバー８ｄに嵌めたときに、板金カバー８ｅの端部が溝部１３に挿入するようにしている。
【００３８】
このように溝部１３を設けることによって、板金カバー８ｅのエッジを収納することが
でき、メンテナンス時の安全性を向上させることができる。
【００３９】
次に、ベース８ｂとカバー８ｄの取り付けについて説明する。図１０はベース８ｂとカバー８ｄとの関係図である。
【００４０】
図１０に示すように、カバー８ｄはベース８ｂに回動するように複数の接続部１４で接続されており、複数の接続部１４はカバー８ｄが上側に開くように設けられている。すなわち電装ユニット８の上側に接続部１４が設けられている。
【００４１】
また、ベース８ｂとカバー８ｄとは下側では一方に引っ掛け部を設け、他方に引っ掛け部に引っ掛かるような突起部を設けている。本実施の形態では、カバー８ｄに引っ掛け部１５を設けており、ベース８ｂに突起部１６を設けており、突起部１６が引っ掛け部１５に引っ掛かることによって、電装ユニット８の下側が接続される。
【００４２】
なお、カバー８ｄに突起部を設け、ベース８ｂに引っ掛け部を設けても問題は無いが、本実施の形態のような構成とすることで、カバー８ｄを開くような方向に力を掛けるだけで、突起部１６が引っ掛け部１５から外れ、そのまま開く方向へカバー８ｄを回動させることができるので、作業性は向上する。
【００４３】
このようにカバー８ｄが上側へ回動するように開く構成とすることで、室内機１は室内の高い位置に設置されているので、メンテナンス時に作業者の作業がしやすくなるという効果がある。また、板金カバー８ｅの両端部に設けた樹脂製のカバー８ｈを持って回動させることができるので、作業性も向上する。
【００４４】
次に接続部１４の構成について説明する。図１１（ａ）は接続部１４の拡大分解図、図１１（ｂ）は接続部１４の拡大組立図である。メンテナンスの一つに基板８ｃの交換がある。基板８ｃの交換時には作業者が作業しやすい構成にしておくことで、作業効率を上げることができる。
【００４５】
本実施の形態では図１１に示すように、接続部１４は回動可能に構成されており、具体的には、一方に軸を設け、他方に穴形状を設けている。本実施の形態では、ベース８ｂに穴形状１７を設け、カバー８ｄに軸１８を設けている。
【００４６】
さらに、軸１８が穴形状１７から抜けてしまわないように、穴形状１７に軸１８を挿入した後にストッパー１９を軸１８に取り付けている。軸１８にはストッパー１９が取り付けやすいように溝を形成しており、この溝に沿ってストッパー１９を挿入することができる。ストッパー１９の形状は略Ｃ型形状をしており、開いている側から軸１８に挿入する。
【００４７】
図１２（ａ）および図１２（ｂ）はストッパー１９の構成図である。図１２（ａ）に示すように、本実施の形態のストッパー１９の内周側は二箇所でくびれ２０を設けている。ここでくびれとは、内周側と外周側の距離Ｌが他の箇所よりも小さい箇所のことをいう。
【００４８】
これはストッパー１９を軸１８に挿入するときに、ストッパー１９が外方に弾性変形しやすくなるように外周側と内周側の距離が小さくなる箇所を複数設けている。なお、本実施の形態では二箇所にくびれを設けたが、これに限定されるものではなく、例えば、図１２（ｂ）に示すように二点の突起間の内周側と外周側との距離を短くして、一箇所のくびれを設けても良い。
【００４９】
また、複数ある接続部１４における穴形状１７へ軸１８を挿入する方向を同一方向とし
ている。このようにすることによってメンテナンス時の作業性を向上させることができる。
【００５０】
このように、高い位置に設置される室内機１を作業する際にも、電装ユニット８の構成を上側に回動させるように構成することによって、下側方向からでも電装ユニット８の内部を確認することができ、また、基板８ｃの交換作業も容易にすることができる。
【００５１】
以上のように、本実施の形態における空気調和機は、電装ユニット８を前面側へ配置することによって室内熱交換器５の横幅方向の長さを長くすることができるため、熱交換能力を向上させることができるとともに、送風回路の一部に電装ユニット８を配置するため電装ユニット８への冷却効果を高めることができ、かつ、外部より送風とともに吸い込まれる塵埃等の異物に対しても電装ユニット８の内部に入り込むことを防ぐため信頼性の高い空気調和機を提供することができる。
【産業上の利用可能性】
【００５２】
以上のように本発明は、１台の室外機に１台の室内機が接続される空気調和機だけではなく、１台の室外機に複数台の室内機が接続されるマルチ型の空気調和機であっても適用することができる。
【符号の説明】
【００５３】
１  室内機
２  前面パネル
８  電装ユニット
８ａ  支持板
８ｂ  ベース
８ｃ  基板
８ｄ  カバー
８ｅ  板金カバー
８ｆ  端子台
８ｈ  樹脂製のカバー
９  溝形状
１０  凸形状
【図１】
2013124804.tif 000003
【図２】
2013124804.tif 000004
【図３】
2013124804.tif 000005
【図４】
2013124804.tif 000006
【図５】
2013124804.tif 000007
【図６】
2013124804.tif 000008
【図７】
2013124804.tif 000009
【図８】
2013124804.tif 000010
【図９】
2013124804.tif 000011
【図１０】
2013124804.tif 000012
【図１１】
2013124804.tif 000013
【図１２】
2013124804.tif 000014